(57)【要約】【課題】  製造が容易でかつカフ幅の狭小化に適し、また装着時の取扱い性に優れるとともに袋状カバー体に捲れやほつれの生じ難い血圧計用カフを提供する。【解決手段】  血圧計用カフ１３０Ａは、空気袋１５０と、環状に巻き回されることによって径方向に弾性変形可能に構成されたカーラ１６０と、これら空気袋１５０およびカーラ１６０を内包する袋状カバー体１４０とを備える。袋状カバー体１４０は、外側カバー１４１および内側カバー１４２を重ね合わせ、その周縁を結合することによって形成される。内側カバー１４２は、幅方向における端部が折り返されることによって形成された折り返し部１４２ａを有しており、この折り返し部１４２ａは、外側カバー１４１の幅方向における端部とカーラ１６０の幅方向における端部との間に位置している。【選択図】        図５
2006212282.tif 000002
【特許請求の範囲】
【請求項１】
流体が出入りすることによって膨縮する流体袋と、
前記流体袋が生体に巻き付けられた状態において前記流体袋の外側に位置し、環状に巻き回されることによって径方向に弾性変形可能に構成された可撓性部材と、
前記流体袋および前記可撓性部材を内包する袋状カバー体とを備え、
前記袋状カバー体は、当該袋状カバー体が生体に巻き付けられた状態において生体側に位置する内側壁部を形成する内側カバーと、当該袋状カバー体が生体に巻き付けられた状態において前記内側壁部よりも外側に位置する外側壁部を形成する外側カバーとを含み、これら内側カバーと外側カバーとを重ね合わせ、その周縁を結合することによって袋状に形成され、
前記内側カバーは、幅方向における端部が折り返されることによって形成された折り返し部を有し、
前記折り返し部は、前記外側カバーの幅方向における端部と前記可撓性部材の幅方向における端部との間に位置している、血圧計用カフ。
【請求項２】
前記内側カバーは、前記外側カバーよりも伸縮性に富んでいる、請求項１に記載の血圧計用カフ。
【請求項３】
前記流体袋を加圧していない収縮状態において、前記流体袋の幅方向における大きさは、当該血圧計用カフの幅寸法と実質的に同等である、請求項１または２に記載の血圧計用カフ。
【請求項４】
請求項１ないし３のいずれかに記載の血圧計用カフと、
前記流体袋を膨縮させる膨縮手段と、
前記流体袋内の圧力を検知する圧力検知手段と、
前記圧力検知手段によって検知された圧力情報に基づいて血圧値を算出する血圧値算出手段とを備えた、血圧計。
【請求項５】
請求項１ないし３のいずれかに記載の血圧計用カフの製造方法であって、
前記内側カバーと前記外側カバーとを重ね合わせる際に、前記内側カバーと前記外側カバーとの間にスペーサ部材を介在させ、この状態においてこれら内側カバーおよび外側カバーの周縁のうちの選択された領域を結合することにより、前記内側カバーに前記折り返し部を形成するだけの弛みを設け、その後スペーサ部材を前記袋状カバー体から取り出し、次いで弛みが形成された前記袋状カバー体の内部に前記流体袋および前記可撓性部材を挿入することにより、前記内側カバーに前記折り返し部を形成することを特徴とする、血圧計用カフの製造方法。
【請求項６】
請求項１ないし３のいずれかに記載の血圧計用カフの製造方法であって、
前記内側カバーと前記外側カバーとを重ね合わせる際に、前記内側カバーの幅方向における端部以外の部分において、前記幅方向と交差する方向に沿って前記内側カバーを折り返し、この状態においてこれら内側カバーおよび外側カバーの周縁のうちの選択された領域を結合することにより、前記内側カバーに前記折り返し部を形成するだけの弛みを設け、その後弛みが形成された前記袋状カバー体の内部に前記流体袋および前記可撓性部材を挿入することにより、前記内側カバーに前記折り返し部を形成することを特徴とする、血圧計用カフの製造方法。
【請求項７】
生体に巻き付けられた状態において生体側に位置する内側壁部を形成する内側カバーおよび生体に巻き付けられた状態において前記内側壁部よりも外側に位置する外側壁部を形成する外側カバーを含み、これら内側カバーおよび外側カバーを重ね合わせてその周縁を結合することによって袋状に形成された袋状カバー体と、前記袋状カバー体に内包され、流体が出入りすることによって膨縮する流体袋とを備えた血圧計用カフの製造方法であって、
前記内側カバーと前記外側カバーとを重ね合わせる際に、重ね合わせる前記内側カバーと前記外側カバーとの間にスペーサ部材を介在させ、この状態において前記内側カバーと前記外側カバーとの周縁のうちの選択された領域を結合することによって前記内側カバーに弛みを形成し、その後スペーサ部材を前記袋状カバー体から取り出し、次いで弛みが形成された前記袋状カバー体の内部に前記流体袋を挿入することを特徴とする、血圧計用カフの製造方法。
【請求項８】
生体に巻き付けられた状態において生体側に位置する内側壁部を形成する内側カバーおよび生体に巻き付けられた状態において前記内側壁部よりも外側に位置する外側壁部を形成する外側カバーを含み、これら内側カバーおよび外側カバーを重ね合わせてその周縁を結合することによって袋状に形成された袋状カバー体と、前記袋状カバー体に内包され、流体が出入りすることによって膨縮する流体袋とを備えた血圧計用カフの製造方法であって、
前記内側カバーと前記外側カバーとを重ね合わせる際に、重ね合わせる前記内側カバーの幅方向における端部以外の部分において、前記幅方向と交差する方向に沿って前記内側カバーを折り返し、この状態において前記内側カバーおよび外側カバーの周縁のうちの選択された領域を結合することによって前記内側カバーに弛みを形成し、その後弛みが形成された前記袋状カバー体の内部に前記流体袋を挿入することを特徴とする、血圧計用カフの製造方法。
【発明の詳細な説明】
【技術分野】
【０００１】
本発明は、血圧測定時において、手首や上腕等の生体の被測定部位に対して巻き付けられて使用される血圧計用カフおよびその製造方法に関し、また当該血圧計用カフを備えた血圧計に関する。
【背景技術】
【０００２】
通常、血圧値の測定に際しては、生体内部に位置する動脈を圧迫するための流体袋を内包するカフを生体の体表面に巻き付け、巻き付けた流体袋を加圧・減圧することによって動脈内に生じる動脈圧脈波の検出を行い、これによって血圧値の測定が行なわれる。ここで、カフとは、内腔を有する帯状の構造物であって生体の一部に巻き付けが可能なものを意味し、気体や液体等の流体を内腔に注入することによって上下肢の動脈圧測定に利用されるもののことを指す。したがって、カフは、流体袋とこの流体袋を生体に巻き付けるための巻付手段とを含めた概念を示す言葉であり、特に手首や上腕に巻き付けられて装着されるカフは、腕帯あるいはマンシェットと呼ばれることもある。
【０００３】
血圧計用のカフには、流体袋としての空気袋を内包する袋状カバー体が設けられる。この袋状カバー体は、通常、内側カバーおよび外側カバーからなる２枚のシート状部材を重ね合わせ、その周縁を結合することによって袋状に形成される。このような構成の血圧計用カフは、たとえば特開平９−１１７４１９号公報（特許文献１）等に開示されている。
【０００４】
一方、近年の血圧計用カフにおいては、被験者による装着作業の容易化を図るため、また装着後における空気袋の加圧時において空気袋が生体側に向かってスムーズに膨張するようにするため、上記袋状カバー体の内部でかつ空気袋の外側に可撓性部材であるカーラを設けることが一般的に行なわれている（たとえば、特開２００２−２０９８５８号公報（特許文献２）等参照）。このカーラは、たとえば、樹脂製の板状部材を環状に巻き回すことによって径方向に弾性変形可能に構成されたものが使用される。
【０００５】
図２４ないし図２６は、上記特許文献１に開示される血圧計用カフの内部に上述のカーラを設けることを想定した場合の血圧計用カフの幅方向における断面図である。以下においては、これら図２４ないし図２６に示す血圧計用カフの構成を従来例１ないし３として詳細に説明する。
【０００６】
図２４に示す従来例１に係る血圧計用カフ１３０Ｅにあっては、袋状カバー体１４０が、カーラ１６０とこのカーラ１６０の内周面に両面テープ１７１によって接着・固定された空気袋１５０とを内包するように設けられている。空気袋１５０は、空気が出入りすることによって膨縮する膨縮空間１５７を内部に有している。袋状カバー体１４０は、生体にカフ１３０Ｅを装着した場合に生体側に位置する内側壁部を形成する内側カバー１４２と、内側壁部よりも外側に位置する外側壁部を形成する外側カバー１４１とからなる２枚のシート状部材を重ね合わせ、その周縁を高周波溶着または／および縫合等することによって袋状に製作される。なお、内側カバー１４２と外側カバー１４１のそれぞれの幅方向における両端部には結合しろが設けられており、この結合しろにおいて内側カバー１４２と外側カバー１４１とが結合されている。
【０００７】
このように、図２４に示す血圧計用カフ１３０Ｅの如くの構成とした場合には、外側カバー１４１と内側カバー１４２との結合部１４６が、袋状カバー体１４０の幅方向における両端部において外側に突出して位置することになり、血圧計用カフ１３０Ｅの幅寸法Ｗ１は、空気袋１５０の幅方向における大きさＷ２に対して、外側カバー１４１と内側カバー１４２との結合しろを含む端部突出部分の大きさＷ３の２倍分だけ大きくなることになる。その結果、被験者が衣服を装着している場合にあっては、衣服の裾がこの血圧計用カフ１３０Ｅの端部に当たり、血圧計用カフ１３０Ｅの装着が煩雑になるという問題が生じる。
【０００８】
この問題を解決するために、血圧計用カフ１３０Ｅの幅方向における狭小化を図れば血圧計用カフ１３０Ｅの装着性は向上するものの、結合しろの大きさＷ３は同じだけ確保する必要があるため、血圧計用カフ１３０Ｅの幅寸法Ｗ１に対する空気袋１５０の幅方向における大きさＷ２が同時に同じだけ小さくなる。そのため、空気袋１５０の幅方向における大きさを十分に確保することができなくなり、阻血性能の低下をもたらす結果となる。したがって、上記構造は、血圧計用カフの幅方向における狭小化には適した構造とは必ずしも言えない。
【０００９】
以上のように、図２４に示す構成では、結合しろの存在により血圧計用カフの幅方向における狭小化が阻害され、高性能でかつ装着性に優れた血圧計用カフを製作する妨げとなっていた。そこで、上記特許文献１においては、図２５および図２６に示す如くの血圧計用カフの構造を提案し、これにより上述の問題の解決を図っている。
【００１０】
図２５に示す従来例２に係る血圧計用カフ１３０Ｆにあっては、内側カバー１４２の幅を外側カバー１４１の幅よりも長くし、これら２枚のシート状部材の端部を合わせて結合して袋状カバー体１４０を形成し、この袋状カバー体１４０を表裏逆に裏返すことにより、結合部１４６を袋状カバー体１４０の幅方向における内側に配置した構成としている。このように構成することにより、空気袋１５０の幅方向における両端部内側に結合部１４６が位置することになるため、血圧計用カフ１３０Ｆの幅寸法Ｗ１に対する空気袋１５０の幅方向における大きさＷ２を大きくとることができるようになる。したがって、実質的に空気袋１５０の幅方向における大きさＷ２を血圧計用カフ１３０Ｆの幅寸法Ｗ１と同等の大きさにまで拡張することが可能になる。
【００１１】
また、図２６に示す従来例３に係る血圧計用カフ１３０Ｇにあっては、１枚のシート状部材で袋状カバー体１４０を構成し、シート状部材の幅方向における一端と他端とを結合し、この結合部１４７を袋状カバー体１４０の幅方向における内側に配置した構成としている。このように構成することにより、空気袋１５０の幅方向における両端部内側に結合部１４７が位置することになるため、血圧計用カフ１３０Ｇの幅寸法Ｗ１に対する空気袋１５０の幅方向における大きさＷ２を大きくとることができるようになる。したがって、実質的に空気袋１５０の幅方向における大きさＷ２を血圧計用カフ１３０Ｇの幅寸法Ｗ１と同等の大きさにまで拡張することが可能になる。
【特許文献１】特開平９−１１７４１９号公報
【特許文献２】特開２００２−２０９８５８号公報
【発明の開示】
【発明が解決しようとする課題】
【００１２】
しかしながら、上述の図２５の如くの構成を採用した場合には、一旦結合した袋状カバー体１４０を表裏逆に裏返す作業が必要になり、製造工程が複雑化する問題がある。特に、袋状カバー体１４０は布地等によって形成される場合がほとんどであり、そのため取扱いが容易ではなく、裏返し作業は非常に煩雑なものとなる。
【００１３】
また、上述の図２５および図２６に示す如くの構成を採用した場合には、袋状カバー体１４０の外周面上に段差部が発生する。この段差部は、装着時において指が引っ掛かるなどの取扱い性の悪化を招来するのみならず、この段差部において袋状カバー体１４０に捲れやほつれが生じる原因ともなる。また、この段差部は、製品の外観に悪影響を及ぼすことにもなりかねない。
【００１４】
袋状カバー体１４０の外周面上に段差部が生じないようにするためには、さらに別部材からなるカバーを袋状カバー体１４０の外周面に取付け、このカバーによって目隠しする構成を採用することが考えられるが、このように構成した場合には、部品点数が増加するばかりでなく組付け作業も煩雑化し、結果として製造コストを大幅に圧迫することになる。
【００１５】
したがって、本発明は、上述の問題点を解決すべくなされたものであり、製造が容易でかつカフ幅の狭小化に適し、また装着時の取扱い性に優れるとともに袋状カバー体に捲れやほつれの生じ難い血圧計用カフおよびその製造方法を提供することにより、袋状カバー体が破損し難く、高性能でかつ取扱い性に優れた血圧計を安価に提供することを目的とする。
【００１６】
また、本発明は、流体袋を後工程において挿入し易いように予め袋状カバー体に弛みを形成しておく場合に、上記弛みを容易に形成することが可能な血圧計用カフの製造方法を提供することを目的とする。
【課題を解決するための手段】
【００１７】
本発明に基づく血圧計用カフは、流体が出入りすることによって膨縮する流体袋と、上記流体袋が生体に巻き付けられた状態において上記流体袋の外側に位置し、環状に巻き回されることによって径方向に弾性変形可能に構成された可撓性部材と、上記流体袋および上記可撓性部材を内包する袋状カバー体とを備える。上記袋状カバー体は、袋状カバー体が生体に巻き付けられた状態において生体側に位置する内側壁部を形成する内側カバーと、袋状カバー体が生体に巻き付けられた状態において上記内側壁部よりも外側に位置する外側壁部を形成する外側カバーとを含み、これら内側カバーと外側カバーとを重ね合わせ、その周縁を結合することによって袋状に形成される。上記内側カバーは、幅方向における端部が折り返されることによって形成された折り返し部を有しており、上記折り返し部は、上記外側カバーの幅方向における端部と上記可撓性部材の幅方向における端部との間に位置している。
【００１８】
このように構成することにより、袋状カバー体の内部に配置される流体袋の幅方向における大きさを、血圧計用カフの幅寸法と同等にすることができるようになるため、カフ幅を狭小化した場合にも精度よく血圧値を測定することができ、カフの狭小化に適した構造の血圧計用カフとすることができる。そのため、装着時における取扱い性の向上が実現される。また、袋状カバー体を裏返す作業等も必要とならないため、製造工程が複雑化することもなく容易にかつ安価に製作できる血圧計用カフとすることができる。さらには、袋状カバー体の外周面に段差部が形成されることもないため、袋状カバー体の捲れやほつれ等が発生し難い血圧計用カフとすることができ、また製品の外観上も好ましいものとすることができる。
【００１９】
上記本発明に基づく血圧計用カフにあっては、上記内側カバーが上記外側カバーよりも伸縮性に富んでいることが好ましい。
【００２０】
このように構成することにより、流体袋および可撓性部材の幅方向における大きさが血圧計用カフの幅寸法と実質的に同等である場合にも、内側カバーが伸張することによって容易に袋状カバー体内部にこれら流体袋および可撓性部材を挿入することができるため、容易に上記構成の血圧計用カフを製作することができる。
【００２１】
上記本発明に基づく血圧計用カフにあっては、上記流体袋を加圧していない収縮状態において、上記流体袋の幅方向における大きさが、血圧計用カフの幅寸法と実質的に同等であることが好ましい。
【００２２】
このように構成することにより、カフ幅を狭小化した場合にも精度よく血圧値を測定することができ、カフの狭小化に適した構造の血圧計用カフとすることができる。
【００２３】
本発明に基づく血圧計は、上述のいずれかの血圧計用カフと、上記流体袋を膨縮させる膨縮手段と、上記流体袋内の圧力を検知する圧力検知手段と、上記圧力検知手段によって検知された圧力情報に基づいて血圧値を算出する血圧値算出手段とを備える。
【００２４】
このように構成することにより、装着時における取扱い性に優れ、かつ高性能で高信頼性の血圧計を安価に製作することができるようになる。
【００２５】
本発明の第１の局面に基づく血圧計用カフの製造方法は、上述のいずれかの血圧計用カフを製造するための方法であって、上記内側カバーと上記外側カバーとを重ね合わせる際に、上記内側カバーと上記外側カバーとの間にスペーサ部材を介在させ、この状態においてこれら内側カバーおよび外側カバーの周縁のうちの選択された領域を結合することにより、上記内側カバーに上記折り返し部を形成するだけの弛みを設け、その後スペーサ部材を上記袋状カバー体から取り出し、次いで弛みが形成された上記袋状カバー体の内部に上記流体袋および上記可撓性部材を挿入することにより、上記内側カバーに上記折り返し部を形成することを特徴とするものである。
【００２６】
このような製造方法を用いて血圧計用カフを製作することにより、容易に内側カバーに弛みを形成することができるようになるため、外側カバーの幅方向における端部と可撓性部材の幅方向における端部との間に内側カバーの折り返し部が位置した血圧計用カフを作業性よく安価に製作することが可能になる。
【００２７】
本発明の第２の局面に基づく血圧計用カフの製造方法は、上述のいずれかの血圧計用カフを製造するための方法であって、上記内側カバーと上記外側カバーとを重ね合わせる際に、上記内側カバーの幅方向における端部以外の部分において、上記幅方向と交差する方向に沿って上記内側カバーを折り返し、この状態においてこれら内側カバーおよび外側カバーの周縁のうちの選択された領域を結合することにより、上記内側カバーに上記折り返し部を形成するだけの弛みを設け、その後弛みが形成された上記袋状カバー体の内部に上記流体袋および上記可撓性部材を挿入することにより、上記内側カバーに上記折り返し部を形成することを特徴とするものである。
【００２８】
このような製造方法を用いて血圧計用カフを製作することにより、容易に内側カバーに弛みを形成することができるようになるため、外側カバーの幅方向における端部と可撓性部材の幅方向における端部との間に内側カバーの折り返し部が位置した血圧計用カフを作業性よく安価に製作することが可能になる。
【００２９】
本発明の第３の局面に基づく血圧計用カフの製造方法は、生体に巻き付けられた状態において生体側に位置する内側壁部を形成する内側カバーおよび生体に巻き付けられた状態において上記内側壁部よりも外側に位置する外側壁部を形成する外側カバーを含み、これら内側カバーおよび外側カバーを重ね合わせてその周縁を結合することによって袋状に形成された袋状カバー体と、上記袋状カバー体に内包され、流体が出入りすることによって膨縮する流体袋とを備えた血圧計用カフを製造するための方法であって、上記内側カバーと上記外側カバーとを重ね合わせる際に、重ね合わせる上記内側カバーと上記外側カバーとの間にスペーサ部材を介在させ、この状態において上記内側カバーと上記外側カバーとの周縁のうちの選択された領域を結合することによって上記内側カバーに弛みを形成し、その後スペーサ部材を上記袋状カバー体から取り出し、次いで弛みが形成された上記袋状カバー体の内部に上記流体袋を挿入することを特徴とするものである。
【００３０】
このような製造方法を用いて血圧計用カフを製作することにより、容易に袋状カバー体に弛みを形成することができるようになるため、作業性よく安価に血圧計用カフを製作することが可能になる。
【００３１】
本発明の第４の局面に基づく血圧計用カフの製造方法は、生体に巻き付けられた状態において生体側に位置する内側壁部を形成する内側カバーおよび生体に巻き付けられた状態において上記内側壁部よりも外側に位置する外側壁部を形成する外側カバーを含み、これら内側カバーおよび外側カバーを重ね合わせてその周縁を結合することによって袋状に形成された袋状カバー体と、上記袋状カバー体に内包され、流体が出入りすることによって膨縮する流体袋とを備えた血圧計用カフを製造するための方法であって、上記内側カバーと上記外側カバーとを重ね合わせる際に、重ね合わせる上記内側カバーを幅方向における端部以外の部分において上記幅方向と交差する方向に沿って折り返し、この状態において上記内側カバーおよび外側カバーの周縁のうちの選択された領域を結合することによって上記内側カバーに弛みを形成し、その後弛みが形成された上記袋状カバー体の内部に上記流体袋を挿入することを特徴とするものである。
【００３２】
このような製造方法を用いて血圧計用カフを製作することにより、容易に袋状カバー体に弛みを形成することができるようになるため、作業性よく安価に血圧計用カフを製作することが可能になる。
【発明の効果】
【００３３】
本発明によれば、製造が容易でかつカフ幅の狭小化に適し、また装着時の取扱い性に優れるとともに袋状カバー体に捲れやほつれの生じ難い血圧計用カフとすることができるため、袋状カバー体が破損し難く、高性能でかつ取扱い性に優れた血圧計を安価に製作することができる。
【００３４】
また、本発明によれば、流体袋を後工程において挿入し易いように予め袋状カバー体に弛みを形成しておく場合に、上記弛みを容易に形成することができるようになる。
【発明を実施するための最良の形態】
【００３５】
以下、本発明の一実施の形態について、図を参照して詳細に説明する。なお、以下に示す実施の形態においては、血圧計として手首式の血圧計を例示して説明を行なう。
【００３６】
図１は、本発明の実施の形態における血圧計の外観を示す斜視図である。また、図２は、図１に示す血圧計用カフの内部構造を示す縦断面図である。まず、図１および図２を参照して、本発明の実施の形態における血圧計の構造について説明する。
【００３７】
図１に示すように、本実施の形態における血圧計１００は、装置本体１１０とカフ１３０とを備える。装置本体１１０の表面には、表示部１１１と操作部１１２とが配置されており、この装置本体１１０に上述のカフ１３０が取付けられている。
【００３８】
図２に示すように、血圧計用カフ１３０は、布地等からなる袋状カバー体１４０と、この袋状カバー体１４０の内部に配置された流体袋としての空気袋１５０と、袋状カバー体１４０の内部に配置され、装着状態において空気袋１５０の外側に位置するカーラ１６０とを主に備える。これら袋状カバー体１４０、空気袋１５０およびカーラ１６０は、カフ１３０の巻き付け方向を長手方向として延在している。
【００３９】
袋状カバー体１４０は、生体側に位置する内側壁部を形成する内側カバー１４２と、内側壁部よりも外側に位置する外側壁部を形成する外側カバー１４１とを備えており、これら内側カバー１４２と外側カバー１４１とを重ね合わせてその周縁を結合することによって袋状に形成されている。袋状カバー体１４０の長手方向の一方端の内周面側には、上記内側カバー１４２とともに袋状カバー体１４０の内側壁部を形成する面ファスナ１６５が設けられており、袋状カバー体１４０の長手方向の他方端の外周面には、上記面ファスナ１６５と係合する面ファスナ１６６が貼り付けられている。これら面ファスナ１６５，１６６は、被測定部位である手首にカフ１３０を装着した状態において、血圧計１００を手首に安定的に固定するための手段である。
【００４０】
空気袋１５０は、たとえば樹脂シートを用いて形成された袋状の部材からなり、内部に膨縮空間１５７を有している。空気袋１５０の手首側の外表面は、手首を圧迫するための圧迫作用面として機能する。なお、膨縮空間１５７は、後述する装置本体１１０の血圧測定用エア系１２１と、配管１２０を介して接続される（図３参照）。
【００４１】
空気袋１５０を構成する樹脂シートの材質としては、伸縮性に富んでおり封止後において膨縮空間１５７からの漏気がないものであればどのようなものでも利用可能である。このような観点から、樹脂シートの最適な材質としては、エチレン−酢酸ビニール共重合体（ＥＶＡ）、軟質塩化ビニル（ＰＶＣ）、ポリウレタン（ＰＵ）、生ゴム等が挙げられる。
【００４２】
空気袋１５０の外側には、環状に巻き回されることによって径方向に弾性変形可能に構成された可撓性部材であるカーラ１６０が配置されている。カーラ１６０は、空気袋１５０の外周面に図示しない両面テープ等の接着手段によって接着されている。このカーラ１６０は、自身の環状形態を維持して手首に沿うように構成されており、測定者自身が被測定部位にカフ１３０を装着し易くするためのものである。このカーラ１６０は、十分な弾性力を発現するように、たとえばポリプロピレン等の樹脂部材にて形成される。
【００４３】
次に、本実施の形態における血圧計の機能ブロックについて説明する。図３は、本実施の形態における血圧計の構成を示すブロック図である。
【００４４】
図３に示すように、本実施の形態における血圧計１００の装置本体１１０は、上述の空気袋１５０に配管１２０を介して空気を供給または排出するための血圧測定用エア系１２１と、血圧測定用エア系１２１に関連して設けられる発振回路１２５、ポンプ駆動回路１２６および弁駆動回路１２７とを含む。これら各構成要素は、空気袋１５０を膨縮させるための膨縮手段として機能する。
【００４５】
また、装置本体１１０は、各部を集中的に制御および監視するためのＣＰＵ（Central Processing Unit）１１３と、ＣＰＵ１１３に所定の動作をさせるプログラムや測定された血圧値などの各種情報を記憶するためのメモリ部１１４と、血圧測定結果を含む各種情報を表示するための表示部１１１と、測定のための各種指示を入力するために操作される操作部１１２と、操作部１１２からの電源ＯＮの指示によりＣＰＵ１１３に電力を供給するための電源部１１５とを含む。ＣＰＵ１１３は、血圧値を算出するための血圧値算出手段として機能する。
【００４６】
血圧測定用エア系１２１は、空気袋１５０内の圧力（以下、「カフ圧」という）により出力値が変化する圧力センサ１２２と、空気袋１５０に空気を供給するためのポンプ１２３と、空気袋１５０の空気を排出しまたは封入するために開閉される弁１２４とを有する。圧力センサ１２２は、カフ圧を検知するための圧力検知手段として機能する。発振回路１２５は、圧力センサ１２２の出力値に応じた発振周波数の信号をＣＰＵ１１３に出力する。ポンプ駆動回路１２６は、ポンプ１２３の駆動をＣＰＵ１１３から与えられる制御信号に基づいて制御する。弁駆動回路１２７は、弁１２４の開閉制御をＣＰＵ１１３から与えられる制御信号に基づいて行なう。
【００４７】
次に、本実施の形態における血圧計の血圧測定処理の流れについて説明する。図４は、本実施の形態における血圧計の血圧測定処理の流れを示すフローチャートである。このフローチャートに従うプログラムは、メモリ部１１４に予め記憶されて、ＣＰＵ１１３がメモリ部１１４からこのプログラムを読出し実行することにより血圧測定処理が行なわれる。
【００４８】
図４に示すように、被験者が血圧計１００の操作部１１２の操作ボタンを操作して電源ＯＮすると血圧計１００の初期化がなされる（ステップＳ１）。次に、ＣＰＵ１１３は、測定可能状態になると、ポンプ１２３の駆動を開始し、空気袋１５０のカフ圧を上昇させる（ステップＳ２）。加圧する過程において、血圧測定のための所定レベルにまでカフ圧が達すると、ＣＰＵ１１３はポンプ１２３を停止し、次に閉じていた弁１２４を徐々に開いて、空気袋１５０の空気を徐々に排気し、カフ圧を徐々に減圧させる（ステップＳ３）。本実施の形態ではカフ圧の微速減圧過程において血圧を測定する。
【００４９】
次に、ＣＰＵ１１３は公知の手順で血圧（最高血圧値、最低血圧値）を算出する（ステップＳ４）。具体的には、カフ圧が徐々に減圧する過程において、ＣＰＵ１１３は発振回路１２５から得られる発振周波数に基づき脈波情報を抽出する。そして、抽出された脈波情報により血圧値を算出する。ステップＳ４において血圧値が算出されると、算出された血圧値を表示部１１１に表示する（ステップＳ５）。なお、以上において説明した測定方式は、空気袋の減圧時に脈波を検出するいわゆる減圧測定方式に基づいたものであるが、空気袋の加圧時に脈波を検出するいわゆる加圧測定方式を採用することも当然に可能である。
【００５０】
以上において説明した本実施の形態における血圧計１００および当該血圧計１００に搭載される血圧計用カフ１３０は、空気袋１５０およびカーラ１６０を収容する袋状カバー体１４０の構造において特徴を有している。以下においては、袋状カバー体１４０の構造について、各実施例ごとに図を参照して詳細に説明する。
【００５１】
（実施例１）
図５は、本実施の形態に基づく実施例１に係る血圧計用カフの図２中に示すＶ−Ｖ線に沿った概略断面図である。また、図６は、図５に示す領域ＶＩの拡大断面図である。以下においては、これらの図を参照して、本実施例に係る血圧計用カフの構造について、詳細に説明する。
【００５２】
図５に示すように、本実施例に係る血圧計用カフ１３０Ａは、上述のように、流体としての空気が出入りすることによって膨縮する流体袋としての空気袋１５０と、この空気袋１５０が手首に巻き付けられた状態において空気袋１５０の外側に位置する可撓性部材としてのカーラ１６０と、これら空気袋１５０およびカーラ１６０とを内包する袋状カバー体１４０とを主に備えている。空気袋１５０は、その外周面が両面テープ１７１等の接着手段を用いてカーラ１６０に固定されており、これにより空気袋１５０とカーラ１６０とが一体化されている。
【００５３】
袋状カバー体１４０は、装着状態において内側に位置し、伸縮性に優れた布地等からなる内側カバー１４２と、この内側カバー１４２よりも外側に位置し、伸縮性に乏しい布地等からなる外側カバー１４１とを備えている。袋状カバー体１４０は、これら内側カバー１４２と外側カバー１４１とを重ね合わせてその周縁を結合することにより、袋状に形成されている。なお、内側カバー１４２および外側カバー１４１のそれぞれは、必ずしも１枚のシート状部材にて構成されている必要はなく、内側カバー１４２および外側カバー１４１のそれぞれが必要に応じて複数のシート状部材によって構成されていてもよい。たとえば、長手方向にシート状部材を継ぎ足すことにより、内側カバー１４２および外側カバー１４１をそれぞれ複数枚のシート状部材によって形成してもよいし、内側カバー１４２および外側カバー１４１のそれぞれを厚み方向に積層した複数枚のシート状部材で構成してもよい。
【００５４】
図５に示すように、本実施例に係る血圧計用カフ１３０Ａにあっては、長手方向に延びる内側カバー１４２の幅方向（長手方向と直交する方向）における長さが、外側カバー１４１の幅方向における長さよりも長く形成されている。すなわち、外側カバー１４１に対して内側カバー１４２が弛みをもった状態で結合されている。
【００５５】
内側カバー１４２は、幅方向における両端部が折り返されることによって形成された折り返し部１４２ａを有している。この折り返し部１４２ａは、袋状カバー体１４０に内包されたカーラ１６０の幅方向における端部と、外側カバー１４１の幅方向における端部との間に位置している。より具体的には、図６に示すように、図中における上下方向を血圧計用カフ１３０Ａの上下方向とした場合、内側カバー１４２の幅方向における端部の先端部分の上面が、外側カバー１４１の端部の先端部分の下面と面するように重ね合わされた状態で、これら２枚のシート状部材がたとえば縫い糸等によって縫合されることにより、所定の距離だけ先端部分から内側に入り込んだ位置に縫合部１４３が形成され、この縫合部１４３を基点に内側カバー１４２が幅方向外側に向かって折り返され、さらにカーラ１６０の幅方向における端部に沿って略垂直に折り曲げられている。これにより、折り返し部１４２ａが外側カバー１４１の端部とカーラ１６０の端部との間に配置されている。
【００５６】
このように構成することにより、図５に示すように、血圧計用カフ１３０Ａの幅方向における両端部の内側に外側カバー１４１と内側カバー１４２との結合部である縫合部１４３が位置することになるため、血圧計用カフ１３０Ａの幅寸法Ｗ１に対して空気袋１５０の幅方向における大きさＷ２を大きくとることができるようになる。したがって、空気袋１５０の幅方向における大きさを血圧計用カフ１３０Ａの幅寸法と実質的に同等の大きさにまで拡張することができるため、カフを狭小化した場合にも手首の軸方向に沿って安定的に動脈を圧迫阻血することが可能になり、精度よく安定的に血圧値を測定することが可能になる。
【００５７】
また、図５に示すように、血圧計用カフ１３０Ａの外周面に段差部が生じることも無いため、装着時において指が引っ掛かる等して袋状カバー体１４０に捲れやほつれが生じるおそれもなく、取扱い性と信頼性に優れた血圧計用カフとすることができる。さらには、血圧計用カフ１３０Ａの外周面に段差部が生じないため、製品の外観に悪影響を与えることもなく、製品の見栄えを良好に保つことができる。
【００５８】
図７は、本実施例に係る血圧計用カフの結合部の他の構成を示す概略断面図である。上記においては、内側カバー１４２と外側カバー１４１とを縫合することにより結合した場合を例示して説明を行なったが、たとえば図７に示すように、内側カバー１４２の周縁と外側カバー１４１の周縁とを高周波溶着することによって結合することも可能である。
【００５９】
その場合、図７に示すように、図中における上下方向を血圧計用カフ１３０Ａの上下方向とした場合、内側カバー１４２の幅方向における端部の先端部分の上面と、外側カバー１４１の端部の先端部分の下面と溶着することにより、先端部分から所定の距離だけ内側に入り込んだ部分にまで溶着部１４４が形成され、この溶着部１４４の内側端部を基点に内側カバー１４２が幅方向外側に向かって折り返され、さらにカーラ１６０の幅方向における端部に沿って略垂直に折り曲げられる。これにより、折り返し部１４２ａが外側カバー１４１の端部とカーラ１６０の端部との間に配置される。
【００６０】
なお、この溶着による結合と、上記において説明した縫合による結合とを組み合わせて内側カバー１４２と外側カバー１４１とを結合することも当然に可能である。
【００６１】
次に、本実施例に係る血圧計用カフ１３０Ａの具体的な製造方法について説明する。図８は、本実施例に係る血圧計用カフを製造するための製造方法を示すフローチャートである。また、図９および図１０は、図８に示す製造方法を説明するための概略斜視図であり、このうち図９は、布地等の重ね合わせ工程を示す図であり、図１０は結合工程を示す図である。なお、本実施例に係る血圧計用カフの製造方法は、内側カバー１４２と外側カバー１４１との結合を高周波溶着と縫合とによって行なう場合を例示するものである。
【００６２】
図８に示すように、上記構成の血圧計用カフ１３０Ａを製作するにあたっては、まずステップＳ１０１において、外側カバー１４１となる布地４１に内側カバー１４２となる布地４２と面ファスナ６５とを重ね合わせる。この際、図９に示すように、布地４１と布地４２との間には、所定の大きさのスペーサ部材５０を介在させる。スペーサ部材５０の大きさは、製作する血圧計用カフ１３０Ａの寸法によって決定されるが、少なくとも製作する血圧計用カフ１３０Ａの幅寸法よりも狭い幅でかつ所定の厚みを持った大きさとすることが必要である。なお、布地４１，布地４２および面ファスナ６５の重ね合わせに際しては、布地４２と面ファスナ６５とが長手方向において一部重なり合うようにこれら部材を重ね合わせ、その重なり合う部分において布地４２が面ファスナ６５と布地４１とによって挟み込まれるようにする。
【００６３】
次に、図８に示すように、ステップＳ１０２において、重ね合わせた布地４１，布地４２および面ファスナ６５の高周波溶着を行うことによって仮結合を行い、その後、溶着部の外周に沿ってカットを行なう。より具体的には、図１０に示すように、重ね合わせた布地４１，布地４２の間にスペーサ部材５０を介在させた状態のまま、布地４１と布地４２および面ファスナ６５の高周波溶着を行なう。この際、溶着する部分は、予め設計された血圧計用カフ１３０Ａの外形に応じて、スペーサ部材５０を取り囲むように設定する。なお、この溶着の際には、布地４２と面ファスナ６５の重なり部分を跨ぐように高周波溶着を行なう。これにより、内側カバー１４２となる布地４２と外側カバー１４１となる布地４１との溶着は、これら内側カバー１４２および外側カバー１４１の周縁のうちの選択された領域のみにおいて行なわれることになり、非選択の領域である布地４２と面ファスナ６５との間には、幅方向に向かって延びる開口部が形成されることになる。この開口部は、後述するスペーサ部材の取り出しや空気袋１５０およびカーラ１６０の挿入の際の出し入れ口６０となる。その後、上述の溶着作業によって形成された溶着部４４の外周に沿って布地４１，布地４２および面ファスナ６５の余剰部分のカットを行なう。以上により、布地４１，布地４２および面ファスナ６５は、上記において説明した外側カバー１４１，内側カバー１４２および面ファスナ１６５の如くの外形にそれぞれ裁断される。
【００６４】
次に、図８に示すように、ステップＳ１０３において、出し入れ口６０を通じて袋状カバー体１４０の内部に配置されていたスペーサ部材５０を取り出す。つづいて、ステップＳ１０４において、溶着部４４に沿って外側カバー１４１となる布地４１と内側カバー１４２となる布地４２および面ファスナ６５の本結合である縫合を行なう。そして、ステップＳ１０５において、出し入れ口６０を通じて袋状カバー体１４０の内部に両面テープ等の接着手段によって一体化された空気袋１５０およびカーラ１６０を挿入し、その後、出し入れ口６０を縫合することにより、上記構成の血圧計用カフ１３０Ａを得る。
【００６５】
以上において説明した製造方法を採用した場合には、布地４１と布地４２とを重ね合わせる際に、布地４１と布地４２とによってスペーサ部材５０が挟み込まれ、この状態においてこれら布地４１および布地４２の周縁の結合が行なわれる。そのため、スペーサ部材５０の介在により、布地４１よりも伸縮性に富む布地４２に弛みが形成されることになる。この弛みは、上述の内側カバー１４２の折り返し部１４２ａを形成するために必要な大きさに調節される。したがって、スペーサ部材５０の取出し後でかつ空気袋１５０およびカーラ１６０の挿入後において、カーラ１６０の幅方向における両端部と外側カバー１４１の幅方向における両端部との間に、それぞれ内側カバー１４２の折り返し部１４２ａが形成されることになる。
【００６６】
このように、本製造方法を採用することにより、容易に内側カバー１４２に弛みを形成することができるようになるため、外側カバー１４１の幅方向における端部とカーラ１６０の幅方向における端部との間に内側カバー１４２の折り返し部１４２ａが配置された血圧計用カフ１３０Ａを作業性よく安価に製作することが可能になる。
【００６７】
上述の本実施例に係る血圧計用カフ１３０Ａは、上述の製造方法以外の他の製造方法を用いて製作することも可能である。以下においては、本実施例に係る血圧計用カフ１３０Ａの具体的な製造方法の他の例について説明する。図１１は、本実施例に係る血圧計用カフを製造するための他の製造方法を示すフローチャートである。また、図１２および図１３は、図１１に示す血圧計用カフの製造方法を説明するための概略斜視図であり、このうち図１２は、布地等の重ね合わせ工程を示す図であり、図１３は結合工程を示す図である。さらに、図１４は、図１３に示すＸＩＶ−ＸＩＶ線に沿った模式断面図である。なお、本実施例に係る血圧計用カフの製造方法は、上述の血圧計用カフの製造方法と同様に、内側カバー１４２と外側カバー１４１との結合を高周波溶着と縫合とによって行なう場合を例示するものである。
【００６８】
図１１に示すように、まずステップＳ２０１において、外側カバー１４１となる布地４１に内側カバー１４２となる布地４２と面ファスナ６５とを重ね合わせる。このとき、図１２に示すように、内側カバー１４２となる布地４２としては、外側カバー１４１となる布地４１の幅よりも幅広のものを用意する。そして、これら布地４１および布地４２の重ね合わせに際しては、布地４２の幅方向と交差する方向に布地４２を一部折り返すことによって布地４２に折り返し部４２ａを形成し、布地４１と布地４２の幅方向における両端部を揃えた状態として重ね合わせる。なお、布地４２と面ファスナ６５とは、長手方向においてその一部が重なり合うように重ね合わせ、その重なり合う部分において布地４２が面ファスナ６５と布地４１とによって挟み込まれるようにする。
【００６９】
次に、図１１に示すように、ステップＳ２０２において、重ね合わせた布地４１，布地４２および面ファスナ６５の高周波溶着を行うことによって仮結合を行い、その後、溶着部の外周に沿ってカットを行なう。より具体的には、図１３および図１４に示すように、重ね合わせた布地４１，布地４２および面ファスナ６５のうち、布地４２の所定部分を折り返して折り返し部４２ａを形成した状態のまま、布地４１と布地４２および面ファスナ６５の高周波溶着を行なう。この際、溶着する部分（図１４において矢印Ａで示す部分）は、予め設計された血圧計用カフ１３０Ａの外形に応じて設定する。なお、この溶着の際には、布地４２と面ファスナ６５の重なり部分を跨ぐように高周波溶着を行なう。これにより、内側カバー１４２となる布地４２と外側カバー１４１となる布地４１との溶着は、これら内側カバー１４２および外側カバー１４１の周縁のうちの選択された領域のみにおいて行なわれることになり、非選択の領域である布地４２と面ファスナ６５との間には、幅方向に向かって延びる開口部が形成されることになる。この開口部は、後述する空気袋１５０およびカーラ１６０の挿入の際の出し入れ口６０となる。その後、上述の溶着作業によって形成された溶着部４４の外周に沿って布地４１，布地４２および面ファスナ６５の余剰部分のカットを行なう。以上により、布地４１，布地４２および面ファスナ６５は、上記において説明した外側カバー１４１，内側カバー１４２および面ファスナ１６５の如くの外形にそれぞれ裁断される。
【００７０】
次に、図１１に示すように、ステップＳ２０３において、溶着部４４に沿って外側カバー１４１となる布地４１と内側カバー１４２となる布地４２および面ファスナ６５の本結合である縫合を行なう。そして、ステップＳ２０４において、出し入れ口６０を通じて袋状カバー体１４０の内部に両面テープ等の接着手段によって一体化された空気袋１５０およびカーラ１６０を挿入し、その後、出し入れ口６０を縫合することにより、上記構成の血圧計用カフ１３０Ａを得る。
【００７１】
以上において説明した製造方法を採用した場合には、布地４１と布地４２とを重ね合わせる際に、布地４２の幅方向における端部以外の部分において、幅方向と交差する方向に沿って布地４２が折り返され、この状態においてこれら布地４１および布地４２の周縁の結合が行なわれる。そのため、折り返し部４２ａの存在により、布地４１よりも伸縮性に富む布地４２に弛みが形成されることになる。この弛みは、上述の内側カバー１４２の折り返し部１４２ａを形成するために必要な大きさに調節される。したがって、空気袋１５０およびカーラ１６０の挿入後において、カーラ１６０の幅方向における両端部と外側カバー１４１の幅方向における両端部との間に内側カバー１４２の折り返し部１４２ａが形成されることになる。
【００７２】
このように、本製造方法を採用することにより、容易に内側カバー１４２に弛みを形成することができるようになるため、外側カバー１４１の幅方向における端部とカーラ１６０の幅方向における端部との間に内側カバー１４２の折り返し部１４２ａが配置された血圧計用カフを作業性よく安価に製作することが可能になる。なお、上記においては、布地４２に形成する折り返し部４２ａの数を１つとした場合を例示して説明を行なったが、必要に応じて布地４２の幅方向に複数個設ける構成としてもよい。
【００７３】
以上において説明した本実施例に係る血圧計用カフ１３０Ａにあっては、内側カバー１４２の幅方向における大きさを、外側カバー１４１の幅方向における大きさよりも大きく設定している。ここで、内側カバー１４２の幅方向における大きさを設定するに際しては、次式に基づいて算出することが好ましい。
（内側カバーの幅方向における大きさ）＝[（外側カバーの幅方向における大きさ）＋｛（空気袋やカーラ等の内挿物の厚み）＋（内側カバーの折り返し部の長さ）｝×２]±微調整分
上式に基づいて内側カバー１４２の幅方向における長さを設定することにより、内側カバー１４２に無理なテンションが生じることが無く、また必要以上の弛みが内側カバー１４２に形成されるともなくなるので、本実施例に係る血圧計用カフを製作する場合に好適な袋状カバー体１４０とすることができる。
【００７４】
次に、上述の実施例１に係る血圧計用カフの変形例について説明する。図１５は、実施例１に係る血圧計用カフの変形例を示す概略断面図であり、図１６は実施例１に係る血圧計用カフの他の変形例を示す概略断面図である。なお、上述の実施例１に係る血圧計用カフと同様の部分については図中同一の符号を付し、その説明はここでは繰り返さない。
【００７５】
上述の実施例１に係る血圧計用カフ１３０Ａにおいては、外側カバー１４１の幅方向における大きさよりも空気袋１５０の幅方向における大きさを内側カバー１４２の厚みの２倍分だけ小さく形成することにより、血圧計用カフ１３０Ａの幅寸法Ｗ１を外側カバー１４１と同じとし、これにより血圧計用カフ１３０Ａの幅寸法Ｗ１が空気袋１５０の幅方向における大きさＷ２と実質的に同等となるようにしている（図５参照）。
【００７６】
これに対し、図１５に示す変形例においては、外側カバー１４１の幅方向における大きさＷ４と空気袋１５０の幅方向における大きさＷ２とを同一の大きさとしている。このように構成することにより、実施例１に係る血圧計用カフ１３０Ａと同様に、本変形例に係る血圧計用カフ１３０Ｂにおいても、血圧計用カフ１３０Ｂの幅寸法Ｗ１に対して空気袋１５０の幅方向における大きさＷ２は、内側カバー１４２の厚みの２倍分だけ小さいことにはなるが、外側カバー１４１の幅方向における大きさＷ４に対して空気袋１５０の幅方向における大きさＷ２を同じにすることができるため、外観上より狭小化された血圧計用カフとすることができる。
【００７７】
さらに、図１６に示す変形例においては、外側カバー１４１の幅方向における大きさＷ４よりも空気袋１５０の幅方向における大きさＷ２をより大きくしている。このように構成することにより、実施例１に係る血圧計用カフ１３０Ａと同様に、本変形例に係る血圧計用カフ１３０Ｃにおいても、血圧計用カフ１３０Ｃの幅寸法Ｗ１に対して空気袋１５０の幅方向における大きさＷ２は、内側カバー１４２の厚みの２倍分だけ小さいことになるが、外側カバー１４１の幅方向における大きさＷ４に対して空気袋１５０の幅方向における大きさＷ２をより大きくすることができるため、外観上より狭小化された血圧計用カフとすることができる。
【００７８】
（実施例２）
図１７は、本実施の形態に基づく実施例２に係る血圧計用カフの幅方向における概略断面図である。また、図１８は、図１７に示す領域ＸＶＩＩＩの拡大断面図である。以下においては、これらの図を参照して、本実施例に係る血圧計用カフの構造について、詳細に説明する。なお、上述の実施例１に係る血圧計用カフ１３０Ａと同様の部分については図中同一の符号を付し、その説明はここでは繰り返さない。
【００７９】
上述の実施例１に係る血圧計用カフ１３０Ａにあっては、内側カバー１４２の幅方向における両端部の先端部分が、それぞれ血圧計用カフ１３０Ａの外側に面した状態で配置されている。内側カバー１４２は、外側カバー１４１よりも伸縮性に富む布地で形成されることが好ましく、そのため比較的薄い布地で構成される場合が多い。そのため、上記のように内側カバー１４２の幅方向における両端部の先端部分が外側に面した状態となっている場合には、長期間の使用により、この部分において内側カバー１４２にほつれが生じるおそれがある。
【００８０】
このため、本実施例に係る血圧計用カフ１３０Ｄにあっては、図１７および図１８に示すように、内側カバー１４２の幅方向における両端部の先端部分をさらに内側に向かって折り返すことにより、当該先端部分が血圧計用カフ１３０Ｄの内側に収容される構成としている。すなわち、内側カバー１４２の両端部に位置する折り返し部１４２ｂを二重の折り返し部とし、内側カバー１４２が三重に重なった状態とする。これにより、内側カバー１４２の幅方向における両端部の先端部分が血圧計用カフ１３０Ｄの外部に向かって露出しない構成となるため、ほつれの発生が防止されるようになる。
【００８１】
次に、本実施例に係る血圧計用カフ１３０Ｄの具体的な製造方法について説明する。図１９は、本実施例に係る血圧計用カフを製造するための製造方法を示すフローチャートである。また、図２０ないし図２２は、図１９に示す製造方法を説明するための概略斜視図であり、このうち図２０は、内側カバーの端部の折り返し工程を示す図であり、図２１は、内側カバー、外側カバーおよび面ファスナの重ね合わせ工程を示す図であり、図２２は結合工程を示す図である。さらに、図２３は、図２２に示すＸＸＩＩＩ−ＸＸＩＩＩ線に沿った模式断面図である。なお、本実施例に係る血圧計用カフの製造方法は、内側カバー１４２と外側カバー１４１との結合を縫合によって行なう場合を例示するものである。
【００８２】
図１９に示すように、まずステップＳ３０１において、略矩形形状に裁断された内側カバー１４２の長辺および一方の短辺を内側に向かって所定量折り返し、これにアイロンがけ等を行なうことによって折り返し部１４２ｂを形成する（図２０参照）。
【００８３】
次に、ステップＳ３０２において、所定の形状に裁断された外側カバー１４１に内側カバー１４２および面ファスナ１６５を重ね合わせる。このとき、図２１に示すように、内側カバー１４２は、上記ステップＳ３０１において成形したものを使用する。ここで、内側カバー１４２は、外側カバー１４１の幅よりも幅広のものを用意し、外側カバー１４１と内側カバー１４２の重ね合わせに際しては、図２２に示すように、内側カバー１４２の幅方向と交差する方向に内側カバー１４２の一部を折り返すことによって内側カバー１４２に折り返し部１４２ｃを形成し、外側カバー１４１と内側カバー１４２の幅方向における両端部を揃えた状態として重ね合わせる。なお、外側カバー１４１としては、長手方向の一方の端部に折り返し部１４１ａが形成されたものを準備する。この折り返し部１４１ａは、完成後の袋状カバー体１４０の端部を覆い隠し、袋状カバー体１４０の端部における外観上の美観を確保するとともに、この部分における捲れやほつれ等の発生を防止し、また、袋状カバー体１４０と折り返し部１４１との間にできるポケット状の部分にカーラ１６０の先端を嵌め込むことで装着性向上を図るためのものである。また、内側カバー１４２と面ファスナ１６５とは、長手方向においてその一部が重なり合うように重ね合わせ、その重なり合う部分において内側カバー１４２が面ファスナ１６５と外側カバー１４１とによって挟み込まれるようにする。
【００８４】
次に、図１９に示すように、ステップＳ３０３において、重ね合わせた外側カバー１４１，内側カバー１４２および面ファスナ１６５の縫合を行う。より具体的には、図２２に示すように、重ね合わせた内側カバー１４２の所定部分を折り返して折り返し部１４２ｃを形成した状態のまま、外側カバー１４１，内側カバー１４２および面ファスナ１６５の縫合を行なう。また、縫合の際には、予め外側カバー１４１の長手方向の一方端に設けられた折り返し部１４１ａを切り込みに沿って折り返し、内側カバー１４２の長手方向の一方端部を覆い隠すようにした上で縫合を行なう。この際、縫合する部分（図２３において矢印Ｂで示す部分）は、外周部に沿った位置とする。なお、この縫合の際には、内側カバー１４２と面ファスナ１６５の重なり部分を跨ぐように縫合を行なう。これにより、内側カバー１４２と面ファスナ１６５との間に、幅方向に向かって延びる開口部が形成される。この開口部は、後述する空気袋１５０およびカーラ１６０の挿入の際の出し入れ口６０となる。
【００８５】
次に、図１９に示すように、ステップＳ３０４おいて、出し入れ口６０を通じて袋状カバー体１４０の内部に両面テープ等の接着手段によって一体化された空気袋１５０およびカーラ１６０を挿入し、出し入れ口６０を縫合することにより、上記構成の血圧計用カフ１３０Ｄを得る。
【００８６】
以上において説明した製造方法を採用することにより、内側カバー１４２の幅方向における両端部の先端部分が内側に収容された構造の血圧計用カフ１３０Ｄを容易に得ることができる。
【００８７】
以上において説明した本発明に基づく一実施の形態においては、袋状カバー体を布地を用いて製作した場合を例示して説明を行なったが、袋状カバー体の材質は特に布地に限定されるものではない。また、上述の実施の形態においては、両面テープを用いて空気袋にカーラを接着した場合を例示して説明を行なったが、必ずしも接着等することによってこれらを固着する必要はなく、他の手段を用いてこれらを固着してもよいし、あるいは全く固着しない構成としてもよい。
【００８８】
また、上述の実施の形態においては、被測定部位として手首を想定した手首式の血圧計に用いられる血圧計用カフに本発明を適用した場合を例示して説明を行なったが、上腕式のものや指式のもの等どのような形式の血圧計用カフについても本発明の適用が可能である。
【００８９】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００９０】
【図１】本発明の実施の形態における血圧計の外観を示す斜視図である。
【図２】本発明の実施の形態における血圧計用カフの内部構造を示す縦断面図である。
【図３】本発明の実施の形態における血圧計の構成を示すブロック図である。
【図４】本発明の実施の形態における血圧計の血圧測定処理の流れを示すフローチャートである。
【図５】本発明の実施の形態に基づく実施例１に係る血圧計用カフの図２中に示すＶ−Ｖ線に沿った概略断面図である。
【図６】本発明の実施の形態に基づく実施例１に係る血圧計用カフの結合部の構成を説明するための、図５中に示す領域ＶＩの拡大断面図である。
【図７】本発明の実施の形態に基づく実施例１に係る血圧計用カフの結合部の他の構成を示す概略断面図である。
【図８】本発明の実施の形態に基づく実施例１に係る血圧計用カフの製造方法を示すフローチャートである。
【図９】本発明の実施の形態に基づく実施例１に係る血圧計用カフの製造方法における一工程を示す分解斜視図である。
【図１０】本発明の実施の形態に基づく実施例１に係る血圧計用カフの製造方法における一工程を示す概略斜視図である。
【図１１】本発明の実施の形態に基づく実施例１に係る血圧計用カフの他の製造方法を示すフローチャートである。
【図１２】本発明の実施の形態に基づく実施例１に係る血圧計用カフの他の製造方法における一工程を示す分解斜視図である。
【図１３】本発明の実施の形態に基づく実施例１に係る血圧計用カフの他の製造方法における一工程を示す概略斜視図である。
【図１４】図１３に示すＸＩＶ−ＸＩＶ線に沿った模式断面図である。
【図１５】本発明の実施の形態に基づく実施例１に係る血圧計用カフの変形例を示す概略断面図である。
【図１６】本発明の実施の形態に基づく実施例１に係る血圧計用カフの他の変形例を示す概略断面図である。
【図１７】本発明の実施の形態に基づく実施例２に係る血圧計用カフの幅方向における概略断面図である。
【図１８】本発明の実施の形態に基づく実施例２に係る血圧計用カフの図１７中に示す領域ＸＶＩＩＩの拡大断面図である。
【図１９】本発明の実施の形態に基づく実施例２に係る血圧計用カフの製造方法を示すフローチャートである。
【図２０】本発明の実施の形態に基づく実施例２に係る血圧計用カフの製造方法における一工程を示す概略斜視図である。
【図２１】本発明の実施の形態に基づく実施例２に係る血圧計用カフの製造方法における一工程を示す分解斜視図である。
【図２２】本発明の実施の形態に基づく実施例２に係る血圧計用カフの製造方法における一工程を示す概略斜視図である。
【図２３】図２２に示すＸＸＩＩＩ−ＸＸＩＩＩ線に沿った模式断面図である。
【図２４】従来例１に係る血圧計用カフの幅方向における断面図である。
【図２５】従来例２に係る血圧計用カフの幅方向における断面図である。
【図２６】従来例３に係る血圧計用カフの幅方向における断面図である。
【符号の説明】
【００９１】
４１，４２  布地、４２ａ  折り返し部、４４  溶着部、５０  スペーサ部材、６０  取り出し口、６５  面ファスナ、１００  血圧計、１１０  装置本体、１１１  表示部、１１２  操作部、１１４  メモリ部、１１５  電源部、１２０  配管、１２１  血圧測定用エア系、１２２  圧力センサ、１２３  ポンプ、１２４  弁、１２５  発振回路、１２６  ポンプ駆動回路、１２７  弁駆動回路、１３０，１３０Ａ〜１３０Ｇ  血圧計用カフ、１４０  袋状カバー体、１４１  外側カバー、１４１ａ  折り返し部、１４２  内側カバー、１４２ａ〜１４２ｃ  折り返し部、１４３  縫合部、１４４  溶着部、１４６，１４７  結合部、１５０  空気袋、１５７  膨縮空間、１６０  カーラ、１６５，１６６  面ファスナ、１７１  両面テープ。
【図１】
2006212282.tif 000003
【図２】
2006212282.tif 000004
【図３】
2006212282.tif 000005
【図４】
2006212282.tif 000006
【図５】
2006212282.tif 000007
【図６】
2006212282.tif 000008
【図７】
2006212282.tif 000009
【図８】
2006212282.tif 000010
【図９】
2006212282.tif 000011
【図１０】
2006212282.tif 000012
【図１１】
2006212282.tif 000013
【図１２】
2006212282.tif 000014
【図１３】
2006212282.tif 000015
【図１４】
2006212282.tif 000016
【図１５】
2006212282.tif 000017
【図１６】
2006212282.tif 000018
【図１７】
2006212282.tif 000019
【図１８】
2006212282.tif 000020
【図１９】
2006212282.tif 000021
【図２０】
2006212282.tif 000022
【図２１】
2006212282.tif 000023
【図２２】
2006212282.tif 000024
【図２３】
2006212282.tif 000025
【図２４】
2006212282.tif 000026
【図２５】
2006212282.tif 000027
【図２６】
2006212282.tif 000028